(57)【要約】      （修正有）【課題】複合式映像捕捉変換装置を提供する。【解決手段】映像捕捉開口部と、フィルム挿入口１２と、制御シュート１３とを含み、前記映像捕捉開口部によって、半密閉状態に取り付けることができるハウジング組１０と、摺動自在にハウジング組に内設していて、収容空間にフィルム映像捕捉空間と、図案映像捕捉空間とを形成する変換押しボタン組２０と、前記ハウジング組に内設する光源モジュールと、前記ハウジング組に内設する撮影装置と、前記ハウジング組に内設していて、かつ、前記光源モジュールと、前記撮影装置とを電気接続する制御モジュールと、を備える。これにより、利用者が収蔵していた各種フィルム、スライドフィルム、書籍、雑誌または各種サイズの写真をすべてメディアファイルに捕捉し変換した上、メモリカードに格納することによって、永久保存及び多元化利用の効果を達成できる。【選択図】図１
0003207358.tif 000002
【実用新案登録請求の範囲】
【請求項１】
複合式映像捕捉変換装置であって、
外側に映像捕捉開口部を開けていて、少なくとも一つのフィルム挿入口と、制御シュートとを含み、ハウジングの内部に収容空間が形成され、前記収容空間と、前記フィルム挿入口と、前記制御シュートと、前記映像捕捉開口部と連絡しており、前記映像捕捉開口部によって、半密閉状態に取り付けるハウジング組と、
滑り移動自在に、前記ハウジングに内設していて、かつ、前記収容空間を仕切られ、その一端を前記制御シュートに滑設する変換押しボタン組と、
前記ハウジング組の内部に組み付けられ、少なくとも２つの露出コンポーネントを有しており、そのうち一つの前記露出コンポーネントが図案映像捕捉空間に位置し、もう一つの前記露出コンポーネントを前記変換押しボタン組に取り付ける光源モジュールと、
前記ハウジング組に内設していて、前記フィルム映像捕捉空間または前記図案映像捕捉空間の物体映像を捕捉する撮影装置と、
前記ハウジング組に内設していて、かつ、前記光源モジュールと、を備え、
前記変換押しボタン組によって、前記フィルム映像捕捉空間と、前記図案映像捕捉空間との連絡を切り換え、前記映像捕捉開口部を設けることによって、前記撮影装置に前記フィルム映像捕捉空間または前記図案映像捕捉空間の前記物体像の捕捉を提供できることを特徴とする、複合式映像捕捉変換装置。
【請求項２】
少なくとも一つのフィルムマガジンをさらに含み、前記フィルムマガジンを前記フィルム挿入口に対応して挿入することができ、前記フィルムマガジンに少なくとも一つのフィルムを挟み込むことができ、前記フィルムは、ネガ、ポジフィルムと、反転フィルムのうちのいずれかから選択できることを特徴とする、請求項１記載の複合式映像捕捉変換装置。
【請求項３】
ハウジング組は、少なくとも２つのハウジングから組み合わされ、前記ハウジングに固定台と、暗箱とを内設し、前記固定台の内部に撮影装置を組み付け、前記固定台にフィルム映像捕捉空間を形成し、前記暗箱の一側に開口部を開けていて、かつ、前記暗箱の内部に図案映像捕捉空間を形成し、前記図案映像捕捉空間によって、前記開口部と、前記フィルム映像捕捉空間と連絡されることを特徴とする、請求項２記載の複合式映像捕捉変換装置。
【請求項４】
変換押しボタンは前記固定台に摺設していて、かつ、前記変換押しボタンは、横方向に移動できる摺動台を有し、前記摺動台の一側を押しボタンに接続し、前記押しボタンを制御シュートに摺設し、さらに、前記摺動台に露出コンポーネントが設けられ、前記露出コンポーネントは、下から上向きに前記フィルムマガジンを露光させることを特徴とする、請求項３記載の複合式映像捕捉変換装置。
【請求項５】
前記暗箱の内周側に露出コンポーネントを設け、前記露出コンポーネントは、複数のＬＥＤライトバーであることを特徴とする、請求項３記載の複合式映像捕捉変換装置。
【請求項６】
前記暗箱の内周側に複数の遮光具を設け、前記遮光具は、前記ＬＥＤライトバーの一部の光源を遮蔽することを特徴とする、請求項５記載の複合式映像捕捉変換装置。
【請求項７】
制御モジュールは、処理装置と、表示スクリーンと、複数の制御ボタンと、複数の表示ランプとを含み、前記処理装置が前記ハウジング組の内部に位置し、前記表示スクリーン、前記制御ボタンと、前記表示ランプを前記ハウジング組の外周側に組み付けることを特徴とする、請求項１記載の複合式映像捕捉変換装置。
【請求項８】
前記ハウジング組の外側は、電源コンセントと、接続ポートと、メモリカードスロットと、をさらに含み、前記電源コンセントと、前記接続ポートと、前記メモリカードスロットが制御モジュールと電気接続しており、前記電源コンセントの内部に少なくとも一つの電池を組み付けることを特徴とする、請求項１記載の複合式映像捕捉変換装置。
【請求項９】
前記ハウジング組の外側に、２つのフィルム挿入口を設け、かつ、前記フィルム挿入口を間隔置きに取り付けることを特徴とする、請求項８記載の複合式映像捕捉変換装置。
【請求項１０】
固定用ベースプレートをさらに含み、前記固定用ベースプレートを前記ハウジング組に組み付けることによって、前記映像捕捉開口部を閉鎖し、前記固定用ベースプレートが前記収容空間の対応側に拘束リブを凸設され、前記拘束リブが写真取り付け区域を巡らしていることを特徴とする、請求項１記載の複合式映像捕捉変換装置。
【考案の詳細な説明】
【技術分野】
【０００１】
本考案は画像捕捉裝置に関し、特に複合式映像捕捉変換装置に関する。
【背景技術】
【０００２】
デジタルカメラ及び携帯電話機が市場に出た後、伝統のカメラはほとんど取り替えられた。伝統のカメラと、デジタルカメラとの主な違いは、伝統のカメラは撮影した映像をフィルム（ネガ）に格納した上、写真またはスライドフィルムを利用して、映像を観覧者に見させるかまたは写真館に焼き増しさせる。これに対して、デジタルカメラは撮影した映像をデジタルファイルに置き換え、利用者は直接、デジタルカメラのスクリーンより確認できるほか、ファイルを写真に焼き増しすることもできる。そのため、デジタルファイルの格納と使用の利便性は、従来のフィルムと比べものにならない。そのため、従来のフィルム、写真またはスライドフィルムを使用する人はほとんどいない。場合によっては、映像を出力させることさえ困難である。そうはいえども、過去数十年に伝統のカメラから残された写真の数が非常に多く、維持と保存の問題も多くの人が解決を急ぐ課題である。
【０００３】
ある業者によって前述したフィルム映像変換の問題について、専用の映像スキャナーが開発されているが、１３５ネガ専用の映像スキャナーのサイズ２４（ｍｍ）ｘ３６（ｍｍ）は、１２０ネガ専用の映像スキャナーの常用の最大サイズ６０（ｍｍ）ｘ９０（ｍｍ）に比べて、遥かに小さい。よって、ネガ専用の映像スキャナーの製造関連業者にとって、それぞれのサイズに従って、材料を用意し、製造、検査と、包装等のプロセスに合わせなければならず、コスト管理及び生産ライン／生産能力のアレンジ等は、最適化することが難しい。
【０００４】
この他に、前述フィルム専用の映像スキャナーにも問題が残されている。それは一般の紙写真または書籍映像捕捉変換機能が備われていないことである。よって、利用者はデジタルカメラを用いて撮影せざるを得ない。しかし、異なる環境で撮影した映像は、環境の明暗度によって、撮影した映像の品質に影響される。一例として、撮影するときの視野、反射または透明度などに影響を与えるが、いったん撮影した映像を変えることはできない。
【０００５】
よって、本考案人は前述した欠点について、公知のネガ専用の映像スキャナーにはなお改良の必要があり、本考案を思料した次第である。
【考案の概要】
【考案が解決しようとする課題】
【０００６】
本考案の目的は、複合式映像捕捉変換装置を提供することである。従来収蔵していた各種フィルム、スライドフィルム、書籍、雑誌と、各種サイズの写真をすべて捕捉しメディアファイルに変換した上、メモリカードに格納することによって、永久保存及び多元化利用の効果を達成し、極めて良い許容性と、便利性と、実用性を有する。
【課題を解決するための手段】
【０００７】
前述目的を達成するため、本考案が提供する複合式映像捕捉変換装置は、外側に映像捕捉開口部を開けていて、少なくとも一つのフィルム挿入口と、制御シュートと、を含み、ハウジング組の内部に収容空間が形成され、収容空間と前記フィルム挿入口と、前記制御シュートと、前記映像捕捉開口部と連絡、かつ、前記映像捕捉開口部によって、半密閉状態に取り付けるハウジング組と、滑り移動自在にハウジングに内設して、収容空間を仕切られ、前記収容空間にフィルム映像捕捉空間と、図案映像捕捉空間とを形成し、その一端を前記制御シュートに滑設する変換押しボタン組と、ハウジング組に内設し、少なくとも２つの露出コンポーネントを有しており、そのうち一つの露出コンポーネントが図案映像捕捉空間に位置し、もう一つの露出コンポーネントを変換押しボタン組に取り付ける光源モジュールと、前記ハウジング組に内設していて、前記フィルム映像捕捉空間または前記図案映像捕捉空間の物体映像を補足する映像撮影装置と、ハウジング組に内設していて、かつ、前記光源モジュールと、前記撮影装置と電気接続する制御モジュールと、を備える。
【０００８】
好ましくは、少なくとも一つのフィルムマガジンをさらに含み、前記フィルムマガジンを前記フィルム挿入口に対応して挿入することができ、前記フィルムマガジンに少なくとも一つのフィルムを挟み込むことができ、前記フィルムは、ネガ、ポジフィルムと、反転フィルムのうちのいずれかから選択できる。
【０００９】
前記ハウジング組は、少なくとも２つのハウジングから組み合わせることが好ましい。それらのハウジングに固定台と、暗箱とを内設し、前記固定台の内部に撮影装置を組み付ける。さらに、前記固定台にフィルム映像捕捉空間を形成し、前記暗箱の一側に開口部を開けていて、かつ、前記暗箱の内部に図案映像捕捉空間を形成し、前記図案映像捕捉空間によって、開口部と、前記フィルム映像捕捉空間と連絡される。
【００１０】
前記変換押しボタンを固定台に摺設することが好ましい。かつ、前記変換押しボタンは、横方向に移動できる摺動台を有し、摺動台の一側を押しボタンに接続し、前記押しボタンを制御シュートに摺設する。さらに、前記摺動台に露出コンポーネントを設けられ、前記露出コンポーネントは、下から上向きにフィルムマガジンを露光させる。
【００１１】
前記暗箱の内周側に露出コンポーネントを設け、前記露出コンポーネントは、複数のＬＥＤライトバーが好ましい。
【００１２】
前記暗箱の内周側に複数の遮光具を設け、前記遮光具はＬＥＤライトバーの一部の光源を遮蔽することが好ましい。
【００１３】
制御モジュールは、処理装置と、表示スクリーンと、複数の制御ボタンと、複数の表示ランプと、を含むことが好ましい。前記処理装置がハウジング組の内部に位置し、前記表示スクリーン、前記制御ボタンと、前記表示ランプを前記ハウジング組の外周側に組み付けることが好ましい。
【００１４】
前記ハウジング組の外側は、電源コンセントと、接続ポートと、メモリカードスロットと、をさらに含む。前記電源コンセントと、前記接続ポートと、前記メモリカードスロットが前記制御モジュールと電気接続しており、前記電源コンセントの内部に少なくとも一つの電池を組み付けることが好ましい。
【００１５】
前記ハウジング組の外側に、２つのフィルム挿入口を設け、かつ、それらのフィルム挿入口を間隔置きに取り付けることが好ましい。
【００１６】
固定用ベースプレートをさらに含むことが好ましい。前記固定用ベースプレートをハウジング組に組み付けることによって、前記映像捕捉開口部を閉鎖させる。さらに、前記固定用ベースプレートが収容空間の対応側に拘束リブを凸設され、前記拘束リブが写真取り付け区域を巡らしている。
【考案の効果】
【００１７】
本考案より提供する複合式映像捕捉変換装置は、主に係る変換押しボタン組によって、前記フィルム映像捕捉空間と、前記図案映像捕捉空間との連絡を切り換える。さらに、前記映像捕捉開口部を設けることによって、前記撮影装置にフィルム映像捕捉空間または図案映像捕捉空間の物体像の捕捉を提供する。使用するときは、利用者は従来の各種フィルム、スライドフィルム、書籍、雑誌と、各種サイズの写真をすべて捕捉しメディアファイルに変換した上、メモリカードに格納することによって、永久保存及び多元化利用の効果を達成し、極めて良い許容性と、便利性と、実用性を有する。
【図面の簡単な説明】
【００１８】
【図１】本考案の第１実施例による立体外観図である。
【図２】本考案の第１実施例による立体分解図である。
【図３】本考案の第１実施例による背面図である。
【図４】本考案の第１実施例による断面図である。
【図５】本考案の第１実施例による底面図である。
【図６】本考案の第１の実施例による使用態様図（その１）である。
【図７】本考案の第１の実施例による使用態様図（その２）である。
【図８】本考案の第１の実施例による使用態様図（その３）である。
【図９】本考案の第２の実施例による使用態様図である。
【考案を実施するための形態】
【００１９】
本考案の立体外観図、立体分解図、背面図、断面図、底面図である図１、図２、と図３ないし図５を合わせて参照する。本考案は、複合式映像捕捉変換装置１００を開示する。前記複合式映像捕捉変換装置１００は、外側に映像捕捉開口部１１を開けていて、少なくとも一つのフィルム挿入口１２と、制御シュート１３と、ハウジングの内部に収容空間１４が形成され、前記収容空間１４と、前記フィルム挿入口１２と、前記制御シュート１３と、前記映像捕捉開口部１１と連絡しており、前記映像捕捉開口部１１によって、前記ハウジング組１０を半密閉状態に取り付ける前記ハウジング組１０とを含む。引き続き図２を参照する。前記ハウジング組１０は、少なくとも２つのハウジング１５から組み合わせられ、それらのハウジング１５に固定台１６と、暗箱１７とを内設し、前記固定台１６の内部に撮影装置４０を組み付ける。さらに、前記固定台１６にフィルム映像捕捉空間１４１を形成し、前記暗箱１７の一側に開口部１７１を開け、かつ、前記暗箱１７の内部に図案映像捕捉空間１４２を形成し、前記図案映像捕捉空間１４２によって、開口部１７１と、前記フィルム映像捕捉空間１４１と連絡される。
【００２０】
本実施例において、図３に示すように、前記ハウジング組１０の外側は電源コンセント１５１、接続ポート１５２と、メモリカードスロット１５３とをさらに含む。さらに、前記電源コンセント１５１の内部に、少なくとも一つの電池１５１１が取り付けられている。
【００２１】
変換押しボタン組２０は滑り移動自在にハウジング１５に内設していて、かつ、収容空間１４は仕切られ、前記変換押しボタン組２０の一端を前記制御シュート１３に滑設する。本実施例において、図２と、図４に示すように、前記変換押しボタン組２０は前記固定台１６に滑設していて、かつ、前記変換押しボタン組２０は、横方向に移動可能な摺動台２１を有し、前記摺動台２１の一側に押しボタン２２と接続し、前記押しボタン２２を前記制御シュート１３に滑設し、前記変換押しボタン組２０によって、前記収容空間１４にて、フィルム映像捕捉空間１４１と、図案映像捕捉空間１４２とを形成する。
【００２２】
光源モジュール３０を前記ハウジング組１０の内部に組み付けられ、前記光源モジュール３０は少なくとも２つの露出コンポーネント３１を含む。そのうち一つの露出コンポーネント３１が図案映像捕捉空間１４２に位置し、もう一つの露出コンポーネント３１を変換押しボタン組２０に取り付ける。本実施例において、前記摺動台２１には露出コンポーネント３１が設けられ、前記露出コンポーネント３１が下から上向きに、フィルムマガジン６０を露光させる。さらに、前記摺動台２１に取り付けている露出コンポーネント３１は、電気回路板と、発光ユニットによって構成される。さらに、前記暗箱１７の内周側にもう一つの露出コンポーネント３１を設け、前記露出コンポーネント３１は複数のＬＥＤライトバー３１１であり、かつ、前記暗箱１７の内周側に複数の遮光具１７２を設け、前記遮光具１７２によって、前記ＬＥＤライトバー３１１の一部の光源を遮蔽される。
【００２３】
撮影装置４０を前記ハウジング組１０に内設していて、フィルム映像捕捉空間１４１または図案映像捕捉空間１４２の物体２００映像を捕捉する。本実施例において、前記撮影装置４０は前記固定台１６に組み付けられている。
【００２４】
制御モジュール５０はハウジング組１０に内設していて、かつ、前記電気光源モジュール３０と、前記撮影装置４０に接続される。さらに、前記制御モジュール５０は前記電源コンセント１５１と、前記接続ポート１５２と、前記メモリカードスロット１５３と同時に電気接続されている。本実施例において、前記制御モジュール５０は、処理装置５１と、表示スクリーン５２と、複数の制御ボタン５３と、複数の表示ランプ５４とを含む。前記処理装置５１がハウジング組１０の内部に位置し、前記表示スクリーン５２、前記制御ボタン５３と、前記表示ランプ５４とを前記ハウジング組１０の外周側に組み付けられている。さらに、前記処理装置５１は、複数の電気回路板５１１を連結して構成される。
【００２５】
フィルムマガジン６０は前記フィルム挿入口１２に対応して挿入することができ、前記フィルムマガジン６０に少なくとも一つのフィルム６１を挟み込むことができ、前記ネフィルム６１は、ネガ、ポジフィルムと、反転フィルムのうちのいずれかから選択できる。
【００２６】
固定用ベースプレート７０を有し、前記固定用ベースプレート７０をハウジング組１０に組み付けることによって、前記映像捕捉開口部１１を閉鎖させる。さらに、前記固定用ベースプレート７０が収容空間１４の対応側に拘束リブ７１を凸設され、前記拘束リブ７１が写真取り付け区域７２を巡らしている。本実施例において、前記写真取り付け区域の大きさは、３ｘ５、４ｘ６、５ｘ７またはＡ４サイズである。
【００２７】
本考案の構造と特長、応用技術と予期効果のさらなる理解を図るため、本考案の使用方法を以下のとおり詳細説明する。これによって、本考案に深く、具体的に理解することができると思う。
【００２８】
引き続き、本考案の第１実施例による使用態様図である図６、図７と、図８を参照する。使用するとき、利用者は前記変換押しボタン組２０を横方向に摺動させ、前記フィルム映像捕捉空間１４１と、前記図案映像捕捉空間１４２とを連絡させて、前記撮影装置４０に前記フィルム映像捕捉空間１４１のフィルムマガジン６０にあるフィルム映像を捕捉するか、または前記撮影装置４０による前記図案映像捕捉空間１４２にある物体２００映像の捕捉を提供する。さらに、前記物体２００は書籍、雑誌、写真アルバムまたは一つのみの写真であっても良い。そのうち、図６はフィルム６１映像を捕捉する実施態様を示し、図７は、書籍、雑誌または写真アルバム映像捕捉の実施態様を示す。そのうち、図８は一つのみの写真映像を捕捉する実施態様を示す。
【００２９】
引き続き、図７に示すように、本考案は主に映像捕捉開口部１１を利用して、ハウジング組１０を半密閉状態にして置き、前記映像捕捉開口部１１を捕捉必要な映像物体２００に対応させる。
【００３０】
これにより、本考案によれば、利用者は従来の各種フィルム６１、スライドフィルム、書籍、雑誌と、各種サイズの写真をすべて捕捉しメディアファイルに変換した上、メモリカードに格納することによって、永久保存及び多元化利用の効果を達成し、極めて良い許容性と、便利性と、実用性を有する。
【００３１】
引き続き、本考案の第２実施例による使用態様図である図９を参照する。本実施例と第１実施例に比べて異なる点は、前記ハウジング組１０の外側に２つのフィルム挿入口１２を設けるほかに、それらのフィルム挿入口１２は間隔置きに設けられている。さらに、前記フィルム挿入口１２は１２０フィルム６１を挿入されるフィルムマガジン６０に用いられ、フィルム挿入口１２は１３５フィルム６１を挿入されるフィルムマガジン６０に用いる。これにより、本実施例によれば、特定フィルム６１の規格に対して、映像捕捉及び書籍、雑誌または写真アルバム映像の捕捉効果を有する。
【００３２】
特に説明したいことは、前記制御モジュール５０の制御ボタン５３は、利用者が手動による映像サイズ、視野、輝度、配列の組み合わせ等捕捉されたデジタルファイル修正、選択または編集することを提供できる。さらに、映像にフォーマットの追加または一部の映像の削除機能も提供できる。
【００３３】
引き続き、本考案の特長及び達成できる効果を以下のとおり説明する。
【００３４】
本考案による複合式映像捕捉変換装置１００は、主に前記変換押しボタン組２０によって、前記フィルム映像捕捉空間１４１と、前記図案映像捕捉空間１４２との連絡を切り換える。さらに、前記映像捕捉開口部１１を設けることによって、前記撮影装置４０にフィルム映像捕捉空間１４１または図案映像捕捉空間１４２の物体２００の映像捕捉を提供される。使用するときは、利用者は従来の各種フィルム６１、スライドフィルム、書籍、雑誌と、各種サイズの写真をすべて捕捉しメディアファイルに変換した上、メモリカードに格納することによって、永久保存及び多元化利用の効果を達成し、極めて良い許容性と、便利性と、実用性を有する。
【００３５】
前記のとおり、本考案は同種類製品の中、すばらしい進歩した実用性があるほか、国内外でこのような構造に関する技術資料、文献からも発見されない。よって、実用新案特許の要件に合致しているため、特許法に基づき出願する。
【００３６】
以上に説明されたものは、本考案の好ましい実施例に過ぎない。よって、本考案の明細書並びに実用新案登録請求の範囲による構造上の等効果変更は、なお本考案の実用新案請求の範疇に含まれる。
【符号の説明】
【００３７】
１００  複合式映像捕捉変換装置
１０  ハウジング組
１１  映像捕捉開口部
１２  フィルム挿入口
１３  制御シュート
１４  収容空間
１４１  フィルム映像捕捉空間
１４２  図案映像捕捉空間
１５  ハウジング
１５１  電源コンセント
１５１１  電池
１５２  接続ポート
１５３  メモリカードスロット
１６  固定台
１７  暗箱  
１７１  開口部
１７２  遮光具
２０  変換押しボタン組
２１  摺動台
２２  押しボタン
３０  光源モジュール
３１  露出コンポーネント
３１１  ＬＥＤランプバー
４０  撮影装置
５０  制御モジュール
５１  処理装置
５１１  電気回路板
５２  表示スクリーン
５３  制御ボタン
５４  表示ランプ
６０  フィルムマガジン
６１  フィルム
７０  固定用ベースプレート
７１  拘束リブ
７２  写真取り付け区域
２００  物体
【図１】
0003207358.tif 000003
【図２】
0003207358.tif 000004
【図３】
0003207358.tif 000005
【図４】
0003207358.tif 000006
【図５】
0003207358.tif 000007
【図６】
0003207358.tif 000008
【図７】
0003207358.tif 000009
【図８】
0003207358.tif 000010
【図９】
0003207358.tif 000011
【手続補正書】
【提出日】平成28年8月30日(2016.8.30)
【手続補正１】
【補正対象書類名】実用新案登録請求の範囲
【補正対象項目名】全文
【補正方法】変更
【補正の内容】
【実用新案登録請求の範囲】
【請求項１】
複合式映像捕捉変換装置であって、
外側に映像捕捉開口部を開けていて、少なくとも一つのフィルム挿入口と、制御シュートとを含み、ハウジングの内部に収容空間が形成され、前記収容空間と、前記フィルム挿入口と、前記制御シュートと、前記映像捕捉開口部と連絡しており、前記映像捕捉開口部によって、半密閉状態に取り付けるハウジング組と、
滑り移動自在に、前記ハウジングに内設していて、かつ、前記収容空間を仕切られ、その一端を前記制御シュートに滑設する変換押しボタン組と、
前記ハウジング組の内部に組み付けられ、少なくとも２つの露出コンポーネントを有しており、そのうち一つの前記露出コンポーネントが図案映像捕捉空間に位置し、もう一つの前記露出コンポーネントを前記変換押しボタン組に取り付ける光源モジュールと、
前記ハウジング組に内設していて、フィルム映像捕捉空間または前記図案映像捕捉空間の物体映像を捕捉する撮影装置と、
前記ハウジング組に内設していて、かつ、前記光源モジュールと、前記撮影装置と電気接続する制御モジュールと、を備え、
前記変換押しボタン組によって、前記フィルム映像捕捉空間と、前記図案映像捕捉空間との連絡を切り換え、前記映像捕捉開口部を設けることによって、前記撮影装置に前記フィルム映像捕捉空間または前記図案映像捕捉空間の前記物体映像の捕捉を提供できることを特徴とする、複合式映像捕捉変換装置。
【請求項２】
少なくとも一つのフィルムマガジンをさらに含み、前記フィルムマガジンを前記フィルム挿入口に対応して挿入することができ、前記フィルムマガジンに少なくとも一つのフィルムを挟み込むことができ、前記フィルムは、ネガ、ポジフィルムと、反転フィルムのうちのいずれかから選択できることを特徴とする、請求項１記載の複合式映像捕捉変換装置。
【請求項３】
ハウジング組は、少なくとも２つのハウジングから組み合わされ、前記ハウジングに固定台と、暗箱とを内設し、前記固定台の内部に撮影装置を組み付け、前記固定台にフィルム映像捕捉空間を形成し、前記暗箱の一側に開口部を開けていて、かつ、前記暗箱の内部に図案映像捕捉空間を形成し、前記図案映像捕捉空間によって、前記開口部と、前記フィルム映像捕捉空間と連絡されることを特徴とする、請求項２記載の複合式映像捕捉変換装置。
【請求項４】
変換押しボタンは前記固定台に摺設していて、かつ、前記変換押しボタンは、横方向に移動できる摺動台を有し、前記摺動台の一側を押しボタンに接続し、前記押しボタンを制御シュートに摺設し、さらに、前記摺動台に露出コンポーネントが設けられ、前記露出コンポーネントは、下から上向きに前記フィルムマガジンを露光させることを特徴とする、請求項３記載の複合式映像捕捉変換装置。
【請求項５】
前記暗箱の内周側に露出コンポーネントを設け、前記露出コンポーネントは、複数のＬＥＤライトバーであることを特徴とする、請求項３記載の複合式映像捕捉変換装置。
【請求項６】
前記暗箱の内周側に複数の遮光具を設け、前記遮光具は、前記ＬＥＤライトバーの一部の光源を遮蔽することを特徴とする、請求項５記載の複合式映像捕捉変換装置。
【請求項７】
前記制御モジュールは、処理装置と、表示スクリーンと、複数の制御ボタンと、複数の表示ランプとを含み、前記処理装置が前記ハウジング組の内部に位置し、前記表示スクリーン、前記制御ボタンと、前記表示ランプを前記ハウジング組の外周側に組み付けることを特徴とする、請求項１記載の複合式映像捕捉変換装置。
【請求項８】
前記ハウジング組の外側は、電源コンセントと、接続ポートと、メモリカードスロットと、をさらに含み、前記電源コンセントと、前記接続ポートと、前記メモリカードスロットが前記制御モジュールと電気接続しており、前記電源コンセントの内部に少なくとも一つの電池を組み付けることを特徴とする、請求項１記載の複合式映像捕捉変換装置。
【請求項９】
前記ハウジング組の外側に、２つのフィルム挿入口を設け、かつ、前記フィルム挿入口を間隔置きに取り付けることを特徴とする、請求項８記載の複合式映像捕捉変換装置。
【請求項１０】
固定用ベースプレートをさらに含み、前記固定用ベースプレートを前記ハウジング組に組み付けることによって、前記映像捕捉開口部を閉鎖し、前記固定用ベースプレートが前記収容空間の対応側に拘束リブを凸設され、前記拘束リブが写真取り付け区域を巡らしていることを特徴とする、請求項１記載の複合式映像捕捉変換装置。